(57)【要約】【課題】  本発明は、記憶容量の肥大化を防ぎ、かつコンテンツ情報の取得時間を短縮することが可能な「データ再生機能を備えた電子装置および電子装置におけるコンテンツ情報の管理方法」を提供する。【解決手段】  オーディオ装置１００は、ファイル単位で音楽データを記憶する音楽データ記憶部１４２と、記憶された音楽ファイルを所定のカテゴリーに分類し、各カテゴリーの音楽ファイル数を記憶する音楽ファイル数記憶部１４６と、音楽ファイルのコンテンツに関するコンテンツ情報を記憶するデータベース記憶部１４４と、音楽ファイル数記憶部１４６の音楽ファイル数に基づき音楽ファイル数が多いカテゴリーを選別し、選別されたカテゴリーのみのコンテンツ情報を記憶するようにデータベース記憶部１４４を制御するシステム制御部１８０を有する。【選択図】      図５
2005129143.tif 000002
【特許請求の範囲】
【請求項１】
データ再生機能を備えた電子装置であって、
再生用データを記憶するデータ記憶手段と、
データ記憶手段に記憶された再生用データを複数のカテゴリーの内の所定のカテゴリーに分類し、各カテゴリーの再生用データ数を記憶する再生用データ数記憶手段と、
再生用データのコンテンツに関するコンテンツ情報を記憶するデータベース記憶手段と、
前記再生用データ数記憶手段に記憶された再生用データ数に基づき再生用データ数が多いカテゴリーを選別し、選別されたカテゴリーのみのコンテンツ情報を記憶するように前記データベース記憶手段を制御する制御手段と、を有する電子装置。
【請求項２】
前記制御手段は、各カテゴリーの再生用データ数を比較し、再生用データ数の多い上位ｎ番目（ｎは自然数）までのカテゴリーについてのコンテンツ情報をデータベース記憶手段に記憶させる、請求項１に記載の電子装置。
【請求項３】
前記制御手段は、各カテゴリーの再生用データ数を予め定められた値と比較し、当該予め定められた値よりも再生用データ数が多いカテゴリーについてのコンテンツ情報をデータベース記憶手段に記憶させる、請求項１に記載の電子装置。
【請求項４】
前記制御手段は、データ記憶手段にデータが新たに記憶される毎に各カテゴリーの再生用データ数をカウントし、再生用データ数を更新する、請求項１に記載の電子装置。
【請求項５】
前記制御手段は、前記データベース記憶手段が外部のコンテンツ情報の供給源からコンテンツ情報を記憶するとき、前記選別されたカテゴリーのコンテンツ情報を記憶させる、請求項１、２、３または４に記載の電子装置。
【請求項６】
前記制御手段は、記録媒体に記録された再生用データを前記データ記憶手段へ記憶させるダビング手段を有する、請求項１、２、３、４または５に記載の電子装置。
【請求項７】
データ再生装置はさらに、記録媒体またはデータ記憶手段に記憶されたデータを再生するときに、前記データベース記憶手段から対応するコンテンツ情報を読出しこれをディスプレイに表示する表示手段を有する、請求項１、２、３、４、５または６に記載の電子装置。
【請求項８】
前記データ記憶手段に記憶された再生用音楽データは、音楽ジャンルによって規定される複数のカテゴリーに分類される、請求項１、２、３、４、５、６または７に記載の電子装置。
【請求項９】
再生用データと、再生用データのコンテンツに関するコンテンツ情報とを記憶し、再生用データを再生するときにコンテンツ情報を表示する機能を備えた電子装置におけるコンテンツ情報の管理方法であって、
再生用データを複数のカテゴリーのうちの所定のカテゴリーに分類し、各カテゴリーの再生用データ数をカウントする第１のステップと、
各カテゴリーのカウントされた再生用データ数を比較し、再生用データ数が多いカテゴリーを選別し、選別されたカテゴリーについてのみコンテンツ情報を保存する第２のステップとを有する、コンテンツ情報の管理方法。
【請求項１０】
第１のステップは、再生用データが増加する毎に各カテゴリーの再生用データ数のカウント値を更新する、請求項９に記載のコンテンツ情報の管理方法。
【請求項１１】
第２のステップは、外部のコンテンツ情報の供給源から選別されたカテゴリーのコンテンツ情報を取得しこれを保存する、請求項９または１０に記載のコンテンツ情報の管理方法。
【発明の詳細な説明】
【技術分野】
【０００１】
本発明は、ＣＤ、ＭＤ、ＤＶＤ等の記録媒体に記録されたデータを再生する機能を備えた電子装置に関し、より詳細には、このような記録媒体に記録された再生用データをＨＤＤ等の大容量記録媒体に格納する機能を備えたオーディオ装置に関する。
【背景技術】
【０００２】
現在、パーソナルコンピュータにおいて音楽ＣＤを再生したり、あるいは音楽ＣＤをＭＰ３（MPEG1 Audio Layer3）やＷＭＡ(Windows Media Audio)等のフォーマットに圧縮してパーソナルコンピュータの大容量記録媒体（ハードディスク等）に記録して楽しむといった音楽ライフが一般的になってきている。それに伴い、音楽ＣＤの曲名、アルバムタイトル、アーティスト名などの再生用データについての情報（以下、これをコンテンツ情報という）をデータベース化し、これをインターネットを介してユーザーに提供するようなサービスも開始されている。
【０００３】
このようなサービスの代表として、Ｇｒａｃｅｎｏｔｅ社によるＣＤＤＢがある。ＣＤＤＢは、多くのユーザーがサーバーにアクセスし、所望の音楽ＣＤについてのコンテンツ情報をアップロードすることでデータベースを作成している。ＣＤＤＢを利用すると、例えば、パーソナルコンピュータにおいて音楽ＣＤが挿入されると、音楽ＣＤに含まれるＴＯＣ（(Table of Contents)をＣＤの識別情報に用い、この音楽ＣＤに該当するコンテンツ情報が自動的にサーバーからダウンロードされ、ＣＤ再生時にアルバム名、タイトル名、トラックの曲名、アーティスト名等のコンテンツ情報がディスプレイに表示される。
【０００４】
また、サーバーとの通信機能を持たない音響機器の場合には、ＣＤＤＢのようなデータベースをリムーバブルのハードディスクに保存しておき、その後、必要に応じてハードディスクを本体から取り外してパーソナルコンピュータ等に接続しデータベースの更新を行うようになっている。
【０００５】
サーバーに記憶されたコンテンツ情報の利用に関して、例えば特許文献１による報告がなされている。特許文献１は、ＣＤから読み出されたデータをＭＤにダビングする際に、ＣＤから読み出したＴＯＣデータに基づきＣＤを識別する識別情報を生成し、この識別情報に基づいてＴＯＣサーバーからダビング元のＣＤの記録内容（アルバム）に対応するタイトル情報を得るものである。
【０００６】
【特許文献１】特開２００２−２６９９０３号
【発明の開示】
【発明が解決しようとする課題】
【０００７】
しかしながら上記従来のデータ再生装置には次のような課題がある。上記したＣＤＤＢを例にすると、全世界の音楽ＣＤが１８０万枚以上あり、２０００万以上の楽曲のコンテンツ情報が保有されている。また、月間ユーザー数は３０００万人以上ということで、ＣＤＤＢに追加されるコンテンツ情報は膨大なものとなる。このため、一般の音響機器にＣＤＤＢのデータを記憶するとなると、現時点で数十ＭＢを必要とし、今後、それが数百ＭＢのデータ量になることが予想される。また、常に最新の音楽ＣＤ等のコンテンツ情報を保有するためには、最新情報を追加していく必要があり、その追加のデータも数ＭＢ〜数十ＭＢとなる。こうしたデータをインターネットを介してダウンロードするには膨大な時間を必要とするのみならず、ハードディスク等に保存されるコンテンツ情報も膨大な量となってしまう。その結果、ハードディスクの占有スペースが増加し、記憶容量も大きくせざるを得ず、またデータベース検索に要する時間も長くなってしまうという問題がある。
【０００８】
そこで本発明は上記従来の課題を解決し、再生用データのコンテンツ情報を効率よく、かつ、ユーザーの嗜好に併せて管理することができるデータ再生機能を備えた電子装置および電子装置におけるコンテンツ情報の管理方法を提供することを目的とする。
さらに本発明の目的は、記憶容量の肥大化を防ぎ、かつコンテンツ情報の取得時間を短縮することが可能なデータ再生機能を備えた電子装置および電子装置におけるコンテンツ情報の管理方法を提供する。
【課題を解決するための手段】
【０００９】
本発明に係るデータ再生機能を備えた電子装置は、再生用データを記憶するデータ記憶手段と、データ記憶手段に記憶された再生用データを複数のカテゴリーの内の所定のカテゴリーに分類し、各カテゴリーの再生用データ数を記憶する再生用データ数記憶手段と、再生用データのコンテンツに関するコンテンツ情報を記憶するデータベース記憶手段と、前記再生用データ数記憶手段に記憶された再生用データ数に基づき再生用データ数が多いカテゴリーを選別し、選別されたカテゴリーのみのコンテンツ情報を記憶するように前記データベース記憶手段を制御する制御手段とを有する。
【００１０】
好ましくは、制御手段は、各カテゴリーの再生用データ数を比較し、再生用データ数の多い上位ｎ番目（ｎは自然数）までのカテゴリーについてのコンテンツ情報をデータベース記憶手段に記憶させる。あるいは、制御手段は、各カテゴリーの再生用データ数を予め定められた値と比較し、当該予め定められた値よりも再生用データ数が多いカテゴリーについてのコンテンツ情報をデータベース記憶手段に記憶させる。
【００１１】
データ記憶装置に記憶される再生用データは、好ましくは再生用音楽データを含み、ＭＰ３やＷＭＡ等の圧縮されたデジタルオーディオデータであってもよい。さらに、再生用データは、再生用映像データであってもよい。
【００１２】
データ再生装置はさらに、記録媒体に記録された再生用データまたはデータ記憶手段に記憶された再生用データを再生するための再生手段を含み、さらに制御手段は、記録媒体に記録された再生用データをデータ記憶手段へ記憶させるダビング手段を含む。記録媒体は、例えばＣＤ(Compact Disc)、ＤＶＤ(Digital Versatile Disc)、ＭＤ(Mini Disc)等であることができる。
【００１３】
本発明に係るコンテンツ情報の管理方法は、再生用データと、再生用データのコンテンツに関するコンテンツ情報とを記憶し、再生用データを再生するときにコンテンツ情報を表示する機能を備えた電子装置において、以下のステップを有する。再生用データを複数のカテゴリーのうちの所定のカテゴリーに分類し、各カテゴリーの再生用データ数をカウントする第１のステップと、各カテゴリーのカウントされた再生用データ数を比較し、再生用データ数が多いカテゴリーを選別し、選別されたカテゴリーについてのみコンテンツ情報を保存する第２のステップとを有する。
【発明の効果】
【００１４】
本発明に係るデータ再生機能を有する電子装置によれば、データ記憶手段に記憶された再生用データを複数のカテゴリーのうちの所定のカテゴリーに分類し、再生用データ数の多いカテゴリーを選別し、当該選別されたカテゴリーについてのみコンテンツ情報をデータベース記憶手段に記憶するようにしたので、データベース記憶手段の記憶容量が無尽蔵に増加するのを防止することができ、かつ、ユーザーの嗜好に併せその再生頻度の高い再生用データについてのコンテンツ情報を保存することができる。さらに、データベースを更新する場合にも、更新すべきデータを削減することができ、その結果、データ更新に伴う時間を短縮することができる。
【発明を実施するための最良の形態】
【００１５】
以下、本発明の実施の形態について詳細に説明する。本発明に係るデータ再生機能を備えた電子装置は、好ましくはＣＤやＤＶＤ等の音楽データを再生する機能を備えたオーディオ装置において実現される。
【実施例】
【００１６】
図１は、本発明の実施例に係るオーディオ装置の接続例を示す図である。本実施例のオーディオ装置１００は、オーディオデータを再生する機能に加えて、インターネットやＬＡＮ等の通信手段によりサーバー２００やパーソナルコンピュータ３００等に接続され、それらの機器との間でデータ通信を行う機能を備えている。オーディオ装置１００は、サーバー２００やパーソナルコンピュータ３００にアクセスし、そこから必要な再生用音楽データを取得したり、あるいはコンテンツ情報を取得することが可能である。
【００１７】
図２は、本実施例のオーディオ装置１００の構成を示すブロック図である。オーディオ装置１００は、ＣＤ、ＤＶＤ、ＭＤ等の記録媒体１１０に記録された再生用データを読取り、これを再生する読取・再生部１２０と、読取・再生部によって読み取られた音声データを可聴音として出力させるための音声出力部１３０と、読取・再生部１２０によって読み取られた音声データ等を所定のフォーマットで記憶する記憶部１４０と、音声出力を行うときに音声データについてのコンテンツ情報をディスプレイに表示する表示部１５０と、上記したサーバー２００やパーソナルコンピュータ３００との通信を行う通信部１６０と、ユーザーからの指示やデータを入力する入力部１７０と、これらの各部を制御するシステム制御部１８０とを含んで構成される。
【００１８】
読取・再生部１２０は、記録媒体１１０に記録された再生用データを光学的に読み取るための光学ピックアップ、光学ピックアップにおいて光電変換された読取信号を増幅する増幅回路、増幅された電気信号をディジタル変換するディジタル変換回路等を含んで構成される。
【００１９】
音声出力部１３０は、読み取られた音声データをデコードし、デコードされた音声データをアナログ信号に変換し、これをアンプにより増幅してスピーカーより可聴音として出力する。
【００２０】
記憶部１４０は、データの読み書き可能な大容量記録装置であって、好ましくはハードディスク等の磁気記録装置により構成される。あるいは大容量の半導体メモリを用いることも可能である。記憶部１４０は、図３に示すように、記録媒体１１０に記録された再生用データをファイル単位で大量に保存することができる音楽データ記憶部１４２と、それらの再生用データに関するコンテンツ情報をデータベース化して保存するデータベース記憶部１４４と、データベース記憶部１４４の記憶容量を適切に管理するため音楽データ記憶部１４２に記憶された音楽ファイル数を記憶する音楽ファイル数記憶部１４６とを有する。これらの記憶部１４２、１４４、１４６は、物理的に単一のハードディスクに記憶されても良いし、それぞれ個別のハードディスク等に記憶されていても良い。
【００２１】
表示部１５０は、記録媒体１１０に記録された再生用データを再生するとき、あるいは記憶部１４０の音楽データ記憶部１４２に記憶された音楽ファイルのデータを再生するとき、再生されるデータのアルバム名、タイトル情報、アーティスト名、トラックの曲名といったコンテンツ情報を液晶ディスプレイやプラズマディスプレイ上に表示する。
【００２２】
通信部１６０は、サーバー２００やパーソナルコンピュータ３００とインターネットやＬＡＮ等の通信を可能とするためのモデムや通信端末、あるいは所定のアクセスポイントとの無線通信を可能とするための無線通信装置を含んで構成される。また、近距離通信であれば、ブルートゥース等の無線通信装置を含んでもよい。
【００２３】
オーディオ装置１００において、システム制御部１８０は少なくとも以下の機能を制御する。記録媒体等のデータを再生する機能、記録媒体１１０に記録された再生用データを記憶部１４０にダビングする機能、再生されるデータのコンテンツ情報を表示させる機能、外部機器との間でデータの送受を可能とする通信機能、およびデータベース記憶部１４４のコンテンツ情報を管理する機能である。本発明の主たる特徴は、データベース記憶部１４４に記憶されるコンテンツ情報の管理であり、以下、この機能について詳述する。
【００２４】
図４は、サーバー２００に保存されるコンテンツ情報のデータベースの構成例を示す図である。データベースは、ＣＤ（アルバム）単位でコンテンツ情報を保存している。データベースは複数のユーザーからのデータ入力によって構築される。ユーザーがインターネット等を介してサーバー２００へアクセスし、自己が所有しているＣＤについてのコンテンツ情報が未登録であるとき、そのコンテンツ情報を登録することができる。その際、ユーザーは、ＣＤの識別情報、ジャンル情報、国情報、アーティスト名、各トラックに記録された曲名、その他の任意事項等を入力することができる。多数のユーザーよって多数のコンテンツ情報が登録されることで、データベース上には膨大な量のＣＤのコンテンツ情報が登録され、また新譜の発行に伴いそれらの内容が更新されていく。
【００２５】
他方、ユーザーがパーソナルコンピュータ等においてＣＤ再生を行うとき、ネットワークを介してサーバー２００から対応するＣＤのコンテンツ情報が自動的にダウンロードされ、コンテンツ情報をディスプレイに表示させることができる。
【００２６】
本実施例では、サーバー２００に保存されているすべてのＣＤのコンテンツ情報を取得することは、データベース記憶部１４４の記憶容量が膨大となり、またコンテンツ情報のダウンロードにも長時間を要することになるため、ユーザーによって比較的よく再生されているデータについてのコンテンツ情報のみを取得するようにしている。
【００２７】
図６は、本実施例によるコンテンツ情報の管理方法を示すフローチャートである。オーディオ装置１００において、ユーザーが入力部１７０を介してＣＤ（記録媒体１１０）に記録された再生用データを記憶部１４０にダビングする指示を与えると（ステップＳ１０１）、システム制御部１８０はＣＤに記録されたＴＯＣ(Table of Content)の情報に基づき当該ＣＤを識別するための識別（ＩＤ）情報を作成する（ステップＳ１０２）。例えば、ＣＤＤＢのように、ＴＯＣの情報に対して所定の演算を行い３２ビット列のＩＤデータを作成するようにしてもよい。あるいは、ユーザーが入力部１７０からＣＤを識別するための情報を入力するようにしても良い。
【００２８】
さらにシステム制御部１７０は、ダビング元のＣＤについてのジャンル情報を作成する（ステップＳ１０３）。本例では、ＣＤの再生用データをそのジャンルに従い該当するカテゴリーに分類する。ジャンルは、例えば「パンク」、「ブルース」、「子供音楽」、「クラシック」、「カントリ」、「Ｒ＆Ｂ」、「イージーリスニング」、「ダンス」、「フォーク」、「メタル」、「レゲエ」、「ラテン」、「ヒップホップ／ラップ」、「ジャズ」、「ポップ」、「ゴスペル」、「ロック」等のカテゴリーに分類される。さらに、各カテゴリーには、「ティーンポップ」、「アコースティックポップ」、「ディスコ」、「ヨーロピアンポップ」、「ジェネラルポップ」、「ジャパニーズポップ」等のサブ゛カテゴリーが存在する。ＣＤの再生用データがどのカテゴリーに属するかを示すジャンル情報は、好ましくは、ユーザーが入力部１７０を介して指定する。例えば、予め登録された複数のジャンルの中から特定のジャンルをユーザーに選択させるようにしても良い。あるいは、これとは別に、ＣＤのＴＯＣに含まれるタイトル情報等からジャンル情報を自動生成するようにしてもよい。
【００２９】
システム制御部１８０は、ＣＤの識別情報およびジャンル情報が作成された後、ＣＤに記録された再生用データをファイル単位でもって音楽データ記憶部１４２に記憶させる（ステップＳ１０４）。音楽ファイルのデータフォーマットは、特に制限はないが、好ましくはＭＰ３やＷＭＡのような圧縮フォーマットを用いることができる。圧縮フォーマットは、ユーザーによって選択できるようにしてもよい。図６は、音楽データ記憶部１４２の内容を示すものである。音楽データ記憶部１４２は、音楽ファイル毎に、ＣＤまたはアルバムの識別情報、ジャンル情報、およびデータが記憶されている。ジャンル情報は、サブカテゴリーの情報を含むものであっても良い。
【００３０】
再び図５に戻り、システム制御部１８０は、別のＣＤについてのダビングの指示があるときはステップＳ１０１からの動作を繰り返す。次に、システム制御部１８０は、音楽データ記憶部１４２に記憶された音楽ファイル数をカウントし、これが予め設定された一定値（Ｍ）よりも大きいか否かをチェックする（ステップＳ１０５）。好ましくは一定値は、データベース記憶部１４４に記憶されているＣＤ単位のコンテンツ情報の数によって特定することができる。システム制御部１８０は、音楽ファイル数が一定値（Ｍ）よりも大きいとき、すなわち音楽データ記憶部１４２に記憶された音楽ファイル数がコンテンツ情報の数よりも多いため、音楽ファイルについての未登録のコンテンツ情報が存在すると判定し、コンテンツ情報の更新を行う。このため、システム制御部１８０は、音楽データ記憶部１４２に記憶された音楽ファイルに対して、各カテゴリー毎の音楽ファイル数をカウントし（ステップＳ１０６）、これを音楽ファイル数記憶部１４６に記憶する。図７は、音楽ファイル数記憶部１４６の内容を示すものであり、各カテゴリー毎にいくつの音楽ファイルがあるかをカウントした数値が示されている。さらにシステム制御部１８０は、音楽ファイル数のカウント値を比較し、音楽ファイル数の多いカテゴリーを選別する（ステップＳ１０８）。例えば、図７に示すように、カウント値が大きいものから順位ランクを付与する。
【００３１】
次に、システム制御部１８０は、コンテンツ情報についての更新を行う（ステップＳ１０９）。更新を行うタイミングは、ＣＤをダビングした時であっても良いし、ユーザーからの指示があったときでもよい。あるいは、一定の期間毎に定期的に行うようにしてもよい。コンテンツ情報の更新を行うとき、システム制御部１８０は、通信部１６０を介してサーバー２００とインターネット等の通信を開始する。そして、例えば音楽ファイル数の多い上位５つのカテゴリーについてのコンテンツ情報をサーバー２００からダウンロードする（ステップＳ１１０）。図７の例であれば、「フォーク」「クラシック」、「ポップ」、「ロック」、「ラテン」についてのコンテンツ情報のみを取得する。システム制御部１８０は、サーバー２００から、これらの５つのカテゴリーに属するコンテンツ情報をすべてダウンロードし、データベース記憶部１４４に上書きする。あるいは、システム制御部１８０は、データベース記憶部１４４をサーチし、音楽データ記憶部１４２に記憶されている音楽ファイルのうちコンテンツ情報がないものチェックし、それらのＣＤのコンテンツ情報を取得するようにしてもよい。
【００３２】
ＣＤの再生用データのダビングによって、各カテゴリーの音楽ファイル数の構成が変化し、それに伴い、選別される上位ランクのカテゴリーも変化する。この場合、システム制御部１８０は、上位ランクに選別されなくなったカテゴリーのコンテンツ情報についてはすべて削除するようにする。
【００３３】
このように、ユーザーは各カテゴリーに該当する音楽ファイルを所有することになると同時に、ユーザーによって音楽の好みは多種多様であり、多くの場合は何種類かのカテゴリーに好みか偏るものである。例えば、ロックやポップばかりを好んで聴くユーザーにとって、全く聞かないイージーリスニングやラテンにカテゴリーされるコンテンツ情報は実質的に不必要である。本実施例では、ユーザーが記憶部１４０に記憶した音楽ファイルのジャンル情報から、そのユーザーが好んで聴くカテゴリーの音楽だけをコンテンツ情報として保持することで、記憶部１４０の記憶領域を有効に活用することが可能となるとともに、更新データのダウンロードに要する時間を短縮させることができ、さらには、記憶部１４０に保存されているコンテンツ情報の検索時間を短縮することができる。
【００３４】
上記実施例では、音楽データをジャンルによる複数のカテゴリーに分類したが、これは一例であってこれ以外のカテゴリーに分類するようにしてもよい。例えば、アーティスト名によるカテゴリーの分類、国名によるカテゴリーの分類等であってもよい。
【００３５】
さらに上記実施例では、音楽ファイル数の上位５つのカテゴリーを選別し、それらのコンテンツ情報のみを記憶するようにしたが、これ以外にも、例えばファイル数が一定の数以上のカテゴリーを選別するようにしても良い。また、図８に示すように全体のファイル数に対する各カテゴリーのファイル数の占める割合を求め、これの上位のカテゴリーを選別するようにしてもよいし、全体に占める割合が一定の割合値以上のカテゴリーを選別するようにしてもよい。図の例は、１０％以上のカテゴリーに対してフラグ“１”を付けた例を示している。
【００３６】
さらに上記実施例では、サーバー２００からコンテンツ情報をダウンロードするようにしたが、これ以外にも、サーバー２００からコンテンツ情報をダウンロードしてこれを記憶しているパーソナルコンピュータ３００からコンテンツ情報をダウンロードするようにしてもよい。これはオーディオ装置１００がインターネット機能を持たないような場合に有効である。
【００３７】
さらに上記実施例では、オーディオ装置１００が通信機能を備えているものを例示したが、本発明は必ずしもそのような形態に限定されない。例えば、オーディオ装置１００の記憶部１４０を構成するハードディスクをリムーバブルに構成し、ハードディスクを他の電子機器、例えばパーソナルコンピュータに接続してコンテンツ情報の更新を行うようにしてもよい。この場合、パーソナルコンピュータは、本実施例のコンテンツ情報を管理するプログラム（図５のフローチャート動作）を記憶し、当該プログラムに従い管理動作が可能であるようにする。
【００３８】
さらに上記実施例では、記録媒体としてＣＤから再生用データをダビングする例を示したが、これ以外にもＤＶＤやＭＤ等の記録媒体からの再生用データをダビングして記憶部１４０にデータを保存するものであってもよい。
【００３９】
さらに上記実施例では、データソースとして記録媒体１１０から記憶部１４０へ再生用データを記憶する例を示したが、これ以外にも、データソースはサーバー、パーソナルコンピュータあるいは他の電子機器であってもよい。
【００４０】
さらに上記実施例では、音楽データについてのコンテンツ情報を対象にしたが、これ以外にも映像データについてのコンテンツ情報にも適用することができる。
【００４１】
以上、本発明の好ましい実施の形態について詳述したが、本発明は係る特定の実施形態に限定されるものではなく、特許請求の範囲に記載された本発明の要旨の範囲内において、種々の変形・変更が可能である。
【産業上の利用可能性】
【００４２】
本発明に係るデータ再生装置およびデータ再生装置におけるコンテンツ情報の管理方法は、好ましくはオーディオ装置やオーディオシステムにおいて利用することができる。また、オーディオ再生機能を有するパーソナルコンピュータやナビゲーション装置またはこれらのシステムであってもよい。
【図面の簡単な説明】
【００４３】
【図１】本発明の実施例に係るオーディオ装置の接続例を説明する図である。
【図２】本実施例に係るオーディオ装置の構成を示すブロック図である。
【図３】記憶部の記憶内容を説明する図である。
【図４】サーバーに記憶されるコンテンツ情報のデータベースの構成例を示す図である。
【図５】本実施例におけるコンテンツ情報の管理動作を説明するフローチャートである。
【図６】音楽データ記憶部の内容を説明する図である。
【図７】音楽ファイル数記憶部の内容を説明する図である。
【図８】音楽ファイル数記憶部の他の例を示す図である。
【符号の説明】
【００４４】
１００：オーディオ装置          １１０：記録媒体
１２０：読取・再生部            １３０：音声出力部
１４０：記憶部                  １４２：音楽データ記憶部
１４４：データベース記憶部      １４６：音楽ファイル数記憶部
１５０：表示部                  １６０：通信部
１７０：システム制御部          ２００：サーバー
３００：パーソナルコンピュータ
【図１】
2005129143.tif 000003
【図２】
2005129143.tif 000004
【図３】
2005129143.tif 000005
【図４】
2005129143.tif 000006
【図５】
2005129143.tif 000007
【図６】
2005129143.tif 000008
【図７】
2005129143.tif 000009
【図８】
2005129143.tif 000010